(57)【要約】      （修正有）【課題】接合レンズに用いたプラスチックレンズの凸状レンズ面を大きく突出させた場合でも、成形時の樹脂のヒケに起因する光学特性の低下が発生しにくいレンズユニットを提供する。【解決手段】レンズユニットに用いた接合レンズ４において、第１レンズ６は、第２レンズ７側を向いた凹状レンズ面６２０を備えたプラスチックレンズである。第２レンズ７は、凹状レンズ面６２０に接着剤層５によって接合された凸状レンズ面７１０、および凸状レンズ面７１０を外周側で囲む第２フランジ部７５を備えたプラスチックレンズである。第２レンズ７の中心の光軸Ｌ方向の厚さをＴ０、第２フランジ部７５の光軸Ｌ方向の厚さをＣとしたとき、厚さＴ０、Ｃは、２．０≦Ｔ０／Ｃ≦３．２、を満たし、接着剤層の屈折率をｎ０、第１レンズの屈折率をｎ１、第２レンズの屈折率をｎ２としたとき、屈折率ｎ０、ｎ１、ｎ２は、｜ｎ１−ｎ０｜＞｜ｎ２−ｎ０｜、を満たす。【選択図】図２
2019056786.tif 000002
【特許請求の範囲】
【請求項１】
複数のレンズと、前記複数のレンズを保持する筒状のホルダと、を有するレンズユニットであって、
前記複数のレンズには、第１レンズに対して接着剤層を介して第２レンズが接合された接合レンズが含まれており、
前記第１レンズは、前記第２レンズ側を向いた凹状レンズ面、および前記凹状レンズ面を外周側で囲む第１フランジ部を備えたプラスチックレンズであり、
前記第２レンズは、前記第１レンズ側を向いて前記凹状レンズ面に前記接着剤層によって接合された凸状レンズ面、および前記凸状レンズ面を外周側で囲む第２フランジ部を備えたプラスチックレンズであり、
前記第２レンズの中心の光軸方向の厚さをＴ０とし、前記第２フランジ部の光軸方向の厚さをＣとしたとき、厚さＴ０、Ｃは以下の関係を満たし、
２．０≦  Ｔ０／Ｃ  ≦３．２
前記接着剤層の屈折率をｎ０とし、前記第１レンズの屈折率をｎ１とし、前記第２レンズの屈折率をｎ２としたとき、屈折率ｎ０、ｎ１、ｎ２は以下の関係
｜ｎ１−ｎ０｜＞｜ｎ２−ｎ０｜
を満たすことを特徴とするレンズユニット。
【請求項２】
前記第２レンズは、前記凸状レンズ面の頂部から前記第２フランジ部の前記第１レンズ側の面までの光軸方向における寸法をＴ１としたとき、寸法Ｔ１および厚さＣは、以下の関係
Ｔ１／Ｃ  ≦１．５
を満たすことを特徴とする請求項１に記載のレンズユニット。
【請求項３】
前記凸状レンズ面のレンズ径をＤとしたとき、レンズ径Ｄおよび厚さＴ０は、以下の関係
Ｔ０≦Ｄ
を満たすことを特徴とする請求項１または２に記載のレンズユニット。
【請求項４】
屈折率ｎ０、ｎ１、ｎ２は、以下の関係
ｎ０≦ｎ２＜ｎ１
を満たすことを特徴とする請求項１から３までの何れか一項に記載のレンズユニット。
【請求項５】
屈折率ｎ０、ｎ２は、以下の関係
ｎ０≧（ｎ２−０．０６）
を満たすことを特徴とする請求項４に記載のレンズユニット。
【請求項６】
前記第１レンズは、前記第２レンズに対して物体側に配置されていることを特徴とする請求項１から５までの何れか一項に記載のレンズユニット。
【請求項７】
前記第１レンズのアッベ数をν１とし、前記第２レンズのアッベ数をν２としたとき、アッベ数ν１、ν２は、以下の関係
ν１≦３０
ν２≧５０
の双方を満たすことを特徴とする請求項６に記載のレンズユニット。
【発明の詳細な説明】
【技術分野】
【０００１】
本発明は、複数のレンズが筒状のホルダに保持されたレンズユニットに関するものである。
【背景技術】
【０００２】
広角レンズを構成する複数のレンズが筒状のホルダに保持されたレンズユニットでは、収差を低減することを目的に接合レンズを用いられることがあり、接合レンズでは、一方のレンズ（第１レンズ）と、他方のレンズ（第２レンズ）とが接着剤層によって接合されている。特許文献１、２に記載のレンズユニットでは、第１レンズおよび第２レンズの双方がプラスチックである。従って、第１レンズは、第２レンズ側を向いた凹状レンズ面の外周側にフランジ部（第１フランジ部）を備え、第２レンズは、第１レンズの凹状レンズ面に接着剤層によって接合された凸状レンズ面の外周側にフランジ部（第２フランジ部）を備えている。
【先行技術文献】
【特許文献】
【０００３】
【特許文献１】特開２０１５−３４９２２号公報
【特許文献２】特開２０１６−５７５６２号公報
【発明の概要】
【発明が解決しようとする課題】
【０００４】
特許文献１、２等に記載の接合レンズにおいて、レンズ面の曲率（１／曲率半径）が大きい程、収差を効率よく低減することができるため、第２レンズでは、第２フランジ部から凸状レンズ面が大きく突出することになる。従って、第２レンズを金型成形する際、第２フランジ部の側面に設定されたゲートから凸状レンズ面の頂部までの光軸方向の距離が長くなる。それ故、凸状レンズ面の頂部に樹脂のヒケに起因する凹部が発生しやすくなる。かかる凹部は、レンズユニットの解像度等を低下させる等、レンズユニットの光学特性を低下させるため、好ましくない。
【０００５】
以上の問題点に鑑みて、本発明の課題は、接合レンズに用いたプラスチックレンズの凸状レンズ面を大きく突出させた場合でも、成形時の樹脂のヒケに起因する光学特性の低下が発生しにくいレンズユニットを提供することにある。
【課題を解決するための手段】
【０００６】
上記課題を解決するために、本発明は、複数のレンズと、前記複数のレンズを保持する筒状のホルダと、を有するレンズユニットであって、前記複数のレンズには、第１レンズに対して接着剤層を介して第２レンズが接合された接合レンズが含まれており、前記第１レンズは、前記第２レンズ側を向いた凹状レンズ面、および前記凹状レンズ面を外周側で囲む第１フランジ部を備えたプラスチックレンズであり、前記第２レンズは、前記第１レンズ側を向いて前記凹状レンズ面に前記接着剤層によって接合された凸状レンズ面、および前記凸状レンズ面を外周側で囲む第２フランジ部を備えたプラスチックレンズであり、
前記第２レンズの中心の光軸方向の厚さをＴ０とし、前記第２フランジ部の光軸方向の厚さをＣとしたとき、厚さＴ０、Ｃは以下の関係を満たし、
２．０≦  Ｔ０／Ｃ  ≦３．２
前記接着剤層の屈折率をｎ０とし、前記第１レンズの屈折率をｎ１とし、前記第２レンズの屈折率をｎ２としたとき、屈折率ｎ０、ｎ１、ｎ２は以下の関係
｜ｎ１−ｎ０｜＞｜ｎ２−ｎ０｜
を満たすことを特徴とする。
【０００７】
本発明では、第２レンズの中心の厚さＴ０を第２フランジ部の厚さＣで割った値（Ｔ０／Ｃ）が下限（２．０）以上であるため、第２レンズの凸状レンズ面を大きく突出させることができる。従って、色収差等の収差を効果的に低減することができる。この場合でも、値（Ｔ０／Ｃ）が上限（３．２）以下であり、第２レンズを金型成形する際、第２フランジ部の側面に設定されたゲートから凸状レンズ面の頂部までの光軸方向の距離が制限されている。従って、凸状レンズ面の頂部まで樹脂成形時の射出圧が適正に伝達されるので、樹脂のヒケ等に起因する凹部が凸状レンズ面の頂部に発生しにくい。また、樹脂のヒケ等に起因する凹部が凸状レンズ面の頂部に発生しても、かかる凹部には、接合レンズを形成する際、接着剤層が充填される。しかも、接着剤層の屈折率ｎ０は、第１レンズの屈折率ｎ１より、第２レンズの屈折率ｎ２に近い値である。それ故、凹部に充填された接着剤層は、第２レンズの凸状レンズ面の一部として機能するので、レンズユニットの光学特性が低下しにくい。
【０００８】
本発明において、前記第２レンズは、前記凸状レンズ面の頂部から前記第２フランジ部の前記第１レンズ側の面までの光軸方向における寸法をＴ１としたとき、寸法Ｔ１および厚さＣは、以下の関係
Ｔ１／Ｃ  ≦１．５
を満たす態様を採用することができる。かかる態様によれば、凸状レンズ面を第２フランジ部から大きく突出させても、その上限（１．５）が設定されているため、樹脂のヒケ等に起因する凹部が凸状レンズ面の頂部に発生しにくい。
【０００９】
本発明において、前記凸状レンズ面のレンズ径をＤとしたとき、レンズ径Ｄおよび厚さＴ０は、以下の関係
Ｔ０≦Ｄ
を満たす態様を採用することができる。かかる態様によれば、第２レンズを厚くしても、条件（Ｄ）が設定されているため、樹脂のヒケ等に起因する凹部が凸状レンズ面の頂部に発生しにくい。
【００１０】
本発明において、屈折率ｎ０、ｎ１、ｎ２は、以下の関係
ｎ０≦ｎ２＜ｎ１
を満たす態様を採用することができる。かかる態様によれば、色収差等の収差を適正に低減することができる。
【００１１】
本発明において、屈折率ｎ０、ｎ２は、以下の関係
ｎ０≧（ｎ２−０．０６）
を満たす態様を採用することができる。かかる態様によれば、凹部に充填された接着剤層は、第２レンズの凸状レンズ面の一部としてより適正に機能するので、レンズユニットの光学特性が低下しにくい。
【００１２】
本発明において、前記第１レンズは、前記第２レンズに対して物体側に配置されている態様を採用することができる。かかる態様によれば、色収差等の収差を適正に低減することができる。
【００１３】
本発明において、前記第１レンズのアッベ数をν１とし、前記第２レンズのアッベ数をν２としたとき、アッベ数ν１、ν２は、以下の関係
ν１≦３０
ν２≧５０
の双方を満たす態様を採用することができる。かかる態様によれば、特に色収差を低減す
るのに適している。
【発明の効果】
【００１４】
本発明において、本発明では、第２レンズの中心の厚さＴ０を第２フランジ部の厚さＣで割った値（Ｔ０／Ｃ）が下限（２．０）以上であるため、第２レンズの凸状レンズ面を大きく突出させることができる。従って、色収差等の収差を効果的に低減することができる。この場合でも、値（Ｔ０／Ｃ）が上限（３．２）以下であり、第２レンズを金型成形する際、第２フランジ部の側面に設定されたゲートから凸状レンズ面の頂部までの光軸方向の距離が制限されている。従って、凸状レンズ面の頂部まで樹脂成形時の射出圧が適正に伝達されるので、樹脂のヒケ等に起因する凹部が凸状レンズ面の頂部に発生しにくい。また、樹脂のヒケ等に起因する凹部が凸状レンズ面の頂部に発生しても、かかる凹部には、接合レンズを形成する際、接着剤層が充填される。しかも、接着剤層の屈折率ｎ０は、第１レンズの屈折率ｎ１より、第２レンズの屈折率ｎ２に近い値である。それ故、凹部に充填された接着剤層は、第２レンズの凸状レンズ面の一部として機能するので、レンズユニットの光学特性が低下しにくい。
【図面の簡単な説明】
【００１５】
【図１】本発明を適用したレンズユニットの断面構成を示す説明図である。
【図２】図１に示す接合レンズの断面構成を示す説明図である。
【図３】図２に示す接合レンズに用いた第１レンズ、および第２レンズの断面構成を示す説明図である。
【図４】図２に示す第１レンズと第２レンズとの間を拡大して示す説明図である。
【発明を実施するための形態】
【００１６】
以下、本発明の実施の形態を説明する。以下の説明では、４群５枚のレンズ構成のレンズユニットを中心に説明し、他のレンズ構成については、他の実施の形態で説明する。
【００１７】
（レンズユニットの構成）
図１は、本発明を適用したレンズユニット１０の断面構成を示す説明図である。図１に示すように、本形態のレンズユニット１０は、光軸Ｌに沿って配置された複数のレンズからなる広角レンズ１０ａと、複数のレンズを保持するホルダ９とを有している。本形態において、レンズユニット１０は、４群５枚のレンズ構成を有しており、物体側Ｌａから像側Ｌｂに向けて、負のパワーを有するレンズ１、負のパワーを有するレンズ２、環状の遮光シート８１、正のパワーを有するレンズ３、絞り８２、正のパワーを有する接合レンズ４が配列されている。接合レンズ４に対して像側Ｌｂでは、赤外線フィルタ８３がホルダ９に保持されている。ホルダ９は、光軸Ｌ方向に延在する第１筒部９１と、第１筒部９１の物体側Ｌａの端部で拡径するフランジ部９２と、フランジ部９２の外縁から物体側Ｌａに突出した第２筒部９３とを有しており、第２筒部９３の内径は、第１筒部９１の内径より大きい。かかるレンズユニット１０を撮像装置に用いる際、赤外線フィルタ８３に対して像側Ｌｂに撮像素子（図示せず）が配置される。
【００１８】
レンズ１は、第２筒部９３の内側に配置されており、フランジ部９２に当接している。この状態で、第２筒部９３の物体側Ｌａの端部９３０がレンズ１の外周部分に物体側Ｌａから被さるようにカシメされて、レンズ１は、第２筒部９３の内側に保持されている。フランジ部９２には環状の溝９４が形成されており、レンズ１とフランジ部９２との間には、溝９４の内側に配置された環状シール部材９５が介在している。
【００１９】
第１筒部９１の内側には、レンズ２、遮光シート８１、レンズ３、絞り８２、および接合レンズ４が配置されている。第１筒部９１の内側には環状の段部９６が形成されており、接合レンズ４は、物体側Ｌａから段部９７に当接し、位置決めされている。接合レンズ
４に対して物体側Ｌａには、絞り８２、レンズ３、遮光シート８１およびレンズ２が順に重ねて配置され、この状態で、第１筒部９１の物体側Ｌａの端部９１０がレンズ２の外周部分に物体側Ｌａから被さるようにカシメされて、レンズ２、遮光シート８１、レンズ３、絞り８２、および接合レンズ４が第１筒部９１の内部に保持されている。
【００２０】
レンズ１は、物体側Ｌａのレンズ面１１が凸状の曲面からなり、像側Ｌｂのレンズ面１２が凹状の曲面からなる。レンズ２は、物体側Ｌａのレンズ面２１が凸状の曲面からなり、像側Ｌｂのレンズ面２２が凹状の曲面からなる。レンズ３は、物体側Ｌａのレンズ面３１が凹状の曲面からなり、像側Ｌｂのレンズ面３２が凸状の曲面からなる。
【００２１】
（接合レンズ４の構成）
図２は、図１に示す接合レンズ４の断面構成を示す説明図である。図３は、接合レンズ４に用いた第１レンズ６、および第２レンズ７の断面構成を示す説明図である。図４は、図２に示す第１レンズ６と第２レンズ７との間を拡大して示す説明図である。
【００２２】
図２、図３および図４に示すように、接合レンズ４は、第１レンズ６と、第１レンズ６に対して接着剤層５を介して接合された第２レンズ７とを有している。本形態において、第１レンズ６は、第２レンズ７の物体側Ｌａに配置され、第２レンズ７は、第１レンズ６の像側Ｌｂに配置されている。
【００２３】
第１レンズ６は、第２レンズ７側を向いた凹状レンズ面６２０、および凹状レンズ面６２０を外周側で囲む第１フランジ部６５を備えたプラスチックレンズである。本形態において、第１レンズ６は、物体側Ｌａのレンズ面６１が凸状の曲面からなり、像側Ｌｂのレンズ面６２が凹状の曲面からなり、像側Ｌｂのレンズ面６２によって凹状レンズ面６２０が構成されている。レンズ面６１は、第１フランジ部６５の物体側Ｌａの面６５１より像側Ｌｂに凹んだ凹部６６内に形成されており、レンズ面６２（凹状レンズ面６２０）は、第１フランジ部６５の像側Ｌｂの面６５２より物体側Ｌａに凹んでいる。第１フランジ部６５の像側Ｌｂの面６５２において、凹状レンズ面６２０の周りには、円環状あるいは円弧状に延在する接着剤溜まり用の凹部６７が形成されている。
【００２４】
第２レンズ７は、第１レンズ６側を向いて凹状レンズ面６２０に接着剤層５によって接合された凸状レンズ面７１０、および凸状レンズ面７１０を外周側で囲む第２フランジ部７５を備えたプラスチックレンズである。第２フランジ部７５は、接合レンズ４を構成した状態で第１レンズ６の第１フランジ部６５に形成された接着剤溜まり用の凹部６７に像側Ｌｂから被さっている。本形態において、第２レンズ７は、物体側Ｌａのレンズ面７１が凸状の曲面からなり、像側Ｌｂのレンズ面７２が凸状の曲面からなり、物体側Ｌａのレンズ面７１によって凸状レンズ面７１０が構成されている。レンズ面７１（凸状レンズ面７１０）は、第２フランジ部７５の物体側Ｌａの面７５１より物体側Ｌａに突出しており、レンズ面７２は、第２フランジ部７５の像側Ｌｂの面７５２より像側Ｌｂに突出している。本形態において、第１レンズ６の外径は、第２レンズ７の外径より大きい。
【００２５】
このように構成した接合レンズ４の製造工程では、第１レンズ６の第１フランジ部６５の側面６５０に相当する部分にゲートを設定して、金型内で樹脂成形を行い、第１レンズ６を製作する。従って、第１フランジ部６５の側面６５０にゲート痕６５５が残る。一方、第２レンズ７の第２フランジ部７５の側面７５０に相当する部分にゲートを設定して、樹脂成形を行い、第２レンズ７を製作する。従って、第２フランジ部７５の側面７５０にゲート痕７５５が残る。
【００２６】
次に、第１レンズ６の像側Ｌｂの面、および第２レンズ７の物体側Ｌａの面の少なくとも一方に接着剤５０を塗布した後、第１レンズ６と第２レンズ７とを重ね、しかる後に接
着剤５０を硬化させれば、第１レンズ６と第２レンズ７とが接着剤層５を介して接合された接合レンズ４を得ることができる。本形態では、第１レンズ６の像側Ｌｂの面に接着剤５０を塗布した後、第１レンズ６と第２レンズ７とを重ね、しかる後に接着剤５０を硬化させる。本形態において、接着剤５０は、ＵＶ硬化型接着剤である。接着剤層５は、硬化後も弾性を有していることが好ましい。
【００２７】
（第２レンズ７等の詳細構成）
このように構成した接合レンズ４において、本形態では、以下の説明する条件式（１）〜（７）を全て満たしている。まず、第２レンズ７の中心の光軸方向の厚さをＴ０とし、第２フランジ部７５の光軸Ｌ方向の厚さをＣとしたとき、厚さＴ０、Ｃは以下の関係
２．０≦  Ｔ０／Ｃ  ≦３．２  ・・・条件式（１）
を満たしている。
【００２８】
また、接着剤層５の屈折率をｎ０とし、第１レンズ６の屈折率をｎ１とし、第２レンズ７の屈折率をｎ２としたとき、屈折率ｎ０、ｎ１、ｎ２は以下の関係
｜ｎ１−ｎ０｜＞｜ｎ２−ｎ０｜  ・・・条件式（２）
を満たしている。
【００２９】
すなわち、本形態の接合レンズ４では、第２レンズ７の中心の厚さＴ０を第２フランジ部７５の厚さＣで割った値（Ｔ０／Ｃ）が下限（２．０）以上であるため、第２レンズ７の凸状レンズ面７１０を大きく突出させることができる。従って、色収差等の収差を効果的に低減することができる。この場合でも、値（Ｔ０／Ｃ）が上限（３．２）以下であり、第２レンズ７を金型成形する際、第２フランジ部７５の側面７５０に設定されたゲートから凸状レンズ面７１０の頂部７１１までの光軸Ｌ方向の距離が制限されている。従って、凸状レンズ面７１０の頂部７１１まで樹脂成形時の射出圧が適正に伝達されるので、樹脂のヒケ等に起因する凹部が凸状レンズ面７１０の頂部７１１に発生しにくい。
【００３０】
また、図４に点線で示すように、仮に、樹脂のヒケ等に起因する凹部７１５が凸状レンズ面７１０の頂部７１１に発生しても、かかる凹部７１５には、接合レンズ４を形成する際、接着剤層５が充填される。しかも、接着剤層５の屈折率ｎ０は、第１レンズの屈折率ｎ１より、第２レンズの屈折率ｎ２に近い値である。それ故、凹部７１５に充填された接着剤層５は、第２レンズ７の凸状レンズ面７１０の一部として機能するので、レンズユニット１０の光学特性が低下しにくい。なお、条件式（１）において、値（Ｔ０／Ｃ）が上限（３．２）を超えると、図４に示す凹部７１５が発生しやすくなる。また、条件式（１）において、値（Ｔ０／Ｃ）が上限（３．２）を超えると、図４に示す凹部７１５が、数μｍ程度の深さまで大きく凹んだ形状に形成されやすい。このような事態が発生すると、凹部７１５に接着剤層５が充填されても、レンズユニット１０の光学特性が低下する可能性が高くなってしまう。例えば、凹部７１５が、２μｍ以上の深さまで凹むと光学特性が低下する可能性が高くなってしまう。
【００３１】
また、第２レンズ７は、凸状レンズ面７１０の頂部から第２フランジ部７５の第１レンズ６側の面７５１までの光軸Ｌ方向における寸法をＴ１としたとき、寸法Ｔ１および厚さＣは、以下の関係
Ｔ１／Ｃ  ≦１．５  ・・・条件式（３）
を満たしている。
【００３２】
すなわち、本形態では、凸状レンズ面７１０を第２フランジ部７５から大きく突出させても、その上限（１．５）が設定されている。このため、樹脂のヒケ等に起因する凹部７１５が凸状レンズ面７１０の頂部７１１に発生しにくい。なお、条件式（３）において、値（Ｔ１／Ｃ）が上限（１．５）を超えると、図４に示す凹部７１５が発生しやすくなる
。また、条件式（３）において、値（Ｔ１／Ｃ）が上限（１．５）を超えると、図４に示す凹部７１５が、数μｍ程度の深さまで大きく凹んだ形状に形成されやすい。このような事態が発生すると、凹部７１５に接着剤層５が充填されても、レンズユニット１０の光学特性が低下する可能性が高くなってしまう。
【００３３】
また、第２レンズ７は、凸状レンズ面７１０のレンズ径をＤとしたとき、レンズ径Ｄおよび厚さＴ０は、以下の関係
Ｔ０≦Ｄ  ・・・条件式（４）
を満たしている。
【００３４】
すなわち、本形態では、第２レンズ７を厚くしても、厚さの上限（Ｄ）が設定されている。このため、樹脂のヒケ等に起因する凹部７１５が凸状レンズ面７１０の頂部７１１に発生しにくい。なお、条件式（４）において、厚さＴ０が上限（Ｄ）を超えると、図４に示す凹部７１５が発生しやすくなる。また、条件式（４）において、厚さＴ０が上限（Ｄ）を超えると、図４に示す凹部７１５が、数μｍ程度の深さまで大きく凹んだ形状に形成されやすい。このような事態が発生すると、凹部７１５に接着剤層５が充填されても、レンズユニット１０の光学特性が低下する可能性が高くなってしまう。
【００３５】
ここで、屈折率ｎ０、ｎ１、ｎ２は、以下の関係
ｎ０≦ｎ２＜ｎ１  ・・・条件式（５）
を満たしている。
【００３６】
すなわち、凸状レンズ面７１０を備えた第２レンズ７は、凹状レンズ面６２０を備えた第１レンズ６より屈折率が小さい。従って、色収差等の収差を適正に低減することができる。また、接着剤層５の屈折率ｎ０は、第２レンズ７の屈折率ｎ２より小さいため、接着剤層５の屈折率ｎ０は、第１レンズ６の屈折率ｎ１と大きく相違している。従って、図４に点線で示すように、樹脂のヒケ等に起因する凹部７１５が凸状レンズ面７１０の頂部７１１に発生しても、凹部７１５に充填された接着剤層５は、第２レンズ７の凸状レンズ面７１０の一部として適正に機能するので、レンズユニット１０の光学特性が低下しにくい。
【００３７】
さらに、屈折率ｎ０、ｎ２は、以下の関係
ｎ０≧（ｎ２−０．０６）・・・条件式（６）
を満たしている。
【００３８】
従って、図４に点線で示すように、樹脂のヒケ等に起因する凹部７１５が凸状レンズ面７１０の頂部７１１に発生しても、接着剤層５の屈折率ｎ０は、第２レンズの屈折率ｎ２に近い値であるため、凹部７１５に充填された接着剤層５は、第２レンズ７の凸状レンズ面７１０の一部として適正に機能する。それ故、レンズユニット１０の光学特性が低下しにくい。
【００３９】
例えば、第１レンズ６の屈折率ｎ１が１．６５６で、第２レンズ７の屈折率ｎ２が１．５３８のとき、屈折率ｎ０が１．４９２の接着剤層５が用いられている。第１レンズ６の屈折率ｎ１が１．６３５で、第２レンズ７の屈折率ｎ２が１．５３３のとき、屈折率ｎ０が１．４８８の接着剤層５が用いられている。第１レンズ６の屈折率ｎ１が１．６３６で、第２レンズ７の屈折率ｎ２が１．５４４のとき、屈折率ｎ０が１．４８６の接着剤層５が用いられている。第１レンズ６の屈折率ｎ１が１．６４１で、第２レンズ７の屈折率ｎ２が１．５４６のとき、屈折率ｎ０が１．４８８の接着剤層５が用いられている。かかる構成例では、上記の条件式（２）、（５）、（６）を全て満たしている。
【００４０】
また、第１レンズ６のアッベ数をν１とし、第２レンズ７のアッベ数をν２としたとき、アッベ数ν１、ν２は、以下の関係
ν１≦３０  ・・・条件式（７ａ）
ν２≧５０  ・・・条件式（７ｂ）
の双方を満たしている。例えば、第１レンズ６のアッベ数ν１が２４．０のとき、第２レンズ７のアッベ数ν２が５５．８である。従って、本形態のレンズユニット１０に用いた広角レンズ１０ａは、特に色収差を低減するのに適している。
【００４１】
［他の実施形態］
上記実施形態では、４群５枚のレンズ構成を有するレンズユニット１０に本発明を適用したが、５群６枚、あるいは６群７枚のレンズ構成等を有するレンズユニット１０に本発明を適用してもよく、接合レンズ４を有していれば、レンズ構成に限定されない。また、上記実施の形態においては、接合レンズ４が１つであったが、複数の接合レンズを備えたレンズユニットに本発明を適用してもよい。
【符号の説明】
【００４２】
１、２、３…レンズ、４…接合レンズ、５…接着剤層、６…第１レンズ、７…第２レンズ、９…ホルダ、１０…レンズユニット、１０ａ…広角レンズ、５０…接着剤、６５…第１フランジ部、７５…第２フランジ部、８２…絞り、６２０…凹状レンズ面、６５０、７５０…側面、６５５、７５５…ゲート痕、７１０…凸状レンズ面、７１１…頂部、Ｌ…光軸、Ｌａ…物体側、Ｌｂ…像側
【図１】
2019056786.tif 000003
【図２】
2019056786.tif 000004
【図３】
2019056786.tif 000005
【図４】
2019056786.tif 000006